(57)【要約】      （修正有）【課題】展示機能などに優れるとともに、製作を容易にした物品設置用箱及びその箱のユニットを提供する。【解決手段】物品設置用箱１１は平面及び側面四角形に形成されており、箱本体１２と上板１３とにより構成されている。箱本体１２の四側面には四角形の開口１４が形成され、箱本体１２の四隅には脚１５が形成されている。開口１４及び脚１５の形成により、箱本体１２の側面の上下には上枠１６及び下枠１７が形成されている。箱本体１２の下面は開放されている。箱本体１２の上面には凹部１８が形成されている。凹部１８の内底上には前記上板１３が嵌合敷設されている。この上板１３により、箱本体１２が箱形状に保持されている。前記脚１５と下枠１７の内面との間には、嵌合溝２５が形成されている。【選択図】図１
0003208116.tif 000002
【実用新案登録請求の範囲】
【請求項１】
側面に開口を備えるとともに、上部に凹部を備えた箱本体と、前記凹部内に嵌合された板とよりなる物品設置用箱。
【請求項２】
箱本体は平面四角形をなし、側面に前記開口が形成されている請求項１に記載の物品設置用箱。
【請求項３】
前記箱本体及び板はボール紙よりなり、前記箱本体は複数枚の片よりなり、各片を折り曲げラインにおいて折り曲げるとともに、糊代において糊付けして構成された請求項２に記載の物品設置用箱。
【請求項４】
前記板を段ボールによって形成した請求項３に記載の物品設置用箱。
【請求項５】
大きさの異なる複数の請求項１〜４のうちのいずれか一項に記載の物品設置用箱よりなり、それらの物品設置用箱を上下に重ねて、上下の物品設置用箱を凹凸の嵌合関係で連結できるように構成した物品設置用箱ユニット。
【請求項６】
前記板上に上部の物品設置用箱を載置できるように、前記板を凹部の底部に設置した請求項５に記載の物品設置用箱ユニット。
【請求項７】
大きく形成された物品設置用箱の下端部に小さく形成された物品設置用箱の上端部の側壁を挟入させるための溝を形成した請求項６に記載の物品設置用箱ユニット。
【考案の詳細な説明】
【技術分野】
【０００１】
本考案は、例えば、商品を展示する場合などに使用される物品設置用箱及びその物品設置用箱よりなるユニットに関するものである。
【背景技術】
【０００２】
特許文献１には、商品を展示することができる箱アッセンブリが開示されている。この特許文献１において、商品を展示する場合は、複数の収納部を向きを変えた積層状態にして、商品を収納部に置くようになっている。
【先行技術文献】
【特許文献】
【０００３】
【特許文献１】特開２００４−１６１３７９号公報
【考案の概要】
【考案が解決しようとする課題】
【０００４】
前記特許文献１の従来技術においては、複数の収納部が向きを変えて積層されるだけであるため、最上部の収納部に置かれた商品を目立たせることはできるが、商品が下側の収納部に置かれ場合、その商品をほとんど見ることができない。従って、特許文献１の構成は、展示機能に乏しいものである。
【０００５】
本考案の目的は、このような従来の技術に存在する問題点に着目してなされたものであって、展示機能に優れた物品設置用箱及び物品設置用箱ユニットを提供することにある。
【課題を解決するための手段】
【０００６】
上記の目的を達成するために、本考案の物品設置用箱は、側面に開口を備えるとともに、上部に凹部を備えた箱本体と、前記凹部内に嵌合された板とよりなることを特徴とする。
【０００７】
また、本考案の物品設置用箱ユニットは、前記物品設置用箱を上下に重ねて、上下の物品設置用箱を凹凸の嵌合関係で連結できるように構成したことを特徴とする。
以上の構成によれば、箱本体の側面に開口が形成されているため、物品設置用箱を重ねたり、物品設置用箱を台などの載置面に載せたりすることにより、板や前記載置面上の展示品などの物品を開口を介して覗き見ることができて、便利に使用することができる。また、板を箱本体から外せば、箱本体を扁平に折り畳むことができて、保管や運搬などに便利である。
【０００８】
さらに、大きさの異なる物品設置用箱を用い、それらの物品設置用箱を上下に重ねて、上下の物品設置用箱を凹凸の嵌合関係で連結できるように構成したため、物品設置用箱どうしを連結するためのクリップなどの連結手段が不要になり、部品点数を少なくできて、構成が簡単にできる。そして、連結した状態では、各箱の上部や内部に展示物などの物品を設置できる。
【考案の効果】
【０００９】
本考案によれば、優れた展示機能を得ることができる効果がある。
【図面の簡単な説明】
【００１０】
【図１】物品設置用箱を積層した状態を示す斜視図。
【図２】物品設置用箱の斜視図。
【図３】物品設置用箱の分解斜視図。
【図４】（ａ）は図１のＡ−Ａ線位置の断面図、（ｂ）は図１のＢ−Ｂ線位置の断面図。
【図５】物品設置用箱の展開図。
【考案を実施するための形態】
【００１１】
以下に、この考案を具体化した実施形態を図面に従って説明する。
本実施形態において、物品設置用箱１１は相似形で、同じ構成ではあるが、寸法が少し異なる２種類のものが用意されている。
【００１２】
図１〜図３に示すように、物品設置用箱（以下、単に箱という）１１は平面及び側面四角形に形成されており、箱本体１２と上板１３とにより構成されている。
箱本体１２の四側面には四角形の開口１４が形成され、箱本体１２の四隅には脚１５が形成されている。開口１４及び脚１５の形成により、箱本体１２の側面の上下には上枠１６及び下枠１７が形成されている。箱本体１２の下面は開放されている。箱本体１２の上面には凹部１８が形成されている。凹部１８の内底１９上には前記上板１３が嵌合敷設されている。この上板１３により、箱本体１２が箱形状に保持されている。前記脚１５と下枠１７の内面との間には、嵌合溝２５が形成されている。
【００１３】
図４（ａ），（ｂ）に示すように、大きい箱１１は、小さい箱１１よりも、凹部１８の側壁１８１の厚さ分だけ大きくなっている。
図５に示すように、箱本体１２は、前記開口１４を有する２枚の本体片３１と、脚１５となる４枚の脚片３２とよりなる。本体片３１は、前記上枠１６及び下枠１７の裏面側を形成する折り返し部１６１，１７１と、前記内底１９を形成する底板部１９１と、糊代２０とを有している。前記脚片３２は、その両側に糊代２１を備えるとともに、前記嵌合溝２５のための凹部２５１が形成されている。
【００１４】
そして、図２〜図４において明らかなように、前記本体片３１及び脚片３２を折り曲げライン２６において折り曲げるとともに、糊代２０，２１において所要部分に糊付けすることにより、箱本体１２が形成される。そして、前記凹部１８に上板１３が嵌合されていない状態では、箱本体１２を扁平状に折り畳むことができる。
【００１５】
次に、以上のように構成された実施形態の作用を説明する。
図２〜図４から明らかなように、各物品設置用箱１１の箱本体１２は、一対の本体片３１及び４枚の脚片３２が折り曲げライン２６で折り曲げられ、糊代２０，２１において糊付けされて組み立てられる。そして、凹部１８の内底１９上に上板１３が嵌合されることにより、箱本体１２が形状保持されて、箱１１となる。
【００１６】
そして、図１に示すように、台などの載置面１００に小さな箱１１を載置することにより立てて、その上端部の側壁１８１に大きな物品設置用箱１１の嵌合溝２５を嵌合することにより、小さな箱１１の上部に大きな箱１１を組み付けて、載せることができる。さらに、大きな箱１１の凹部１８に小さな箱１１の脚１５の下端部及び下枠１７を嵌合する。このようにすれば、物品設置用箱１１を３段に積層できる。そして、各箱１１の上部には、上板１３よりなる展示商品の設置面が形成される。
【００１７】
そして、上板１３の上面に展示商品を設置すれば、場合によっては載置面１００上に展示商品を設置すれば、最上部の箱１１上の展示商品を周囲から見ることができるとともに、それ以外の箱１１の上板１３及び載置面１００上の展示商品が開口１４を通して四方から覗き見ることができる。また、箱１１により、展示商品を保護することができる。
【００１８】
なお、大小の箱１１を前記のようにして交互に連結すれば、４個以上の箱１１をタワー状に積層できる。もちろん、２個の箱１１を連結してもよく、場合によっては１個を単独で使用してもよい。
【００１９】
本実施形態においては、以下の効果がある。
（１）箱１１を凹凸の嵌合関係を利用して上下に重ねることができるため、狭いスペースを利用して、商品などを展示するための展示スペースを十分に確保することができる。従って、スペースを有効に利用して、高い展示効果を得ることができる。
【００２０】
（２）箱１１の側面に開口１４が形成されているため、上板１３や前記載置面１００上の製品などの展示品を四方から見ることができて、有効な展示効果を得ることができる。
（３）箱本体１２が平面四角形をなしているため、箱１１や箱１１のユニットを展示スペースの隅部などに納まりよく設置することができる。
【００２１】
（４）箱本体１２及び上板１３をボール紙によって構成したことにより、箱本体１２及び上板１３の大きさが複数種類あっても、箱本体１２や上板１３の材料を成形型などを用いることなく低コストで調達できるとともに、不使用時には折り畳んでおくことができ、保管や運搬に便利である。
【００２２】
（５）上板１３を段ボールによって形成しているため、展示品の重量に十分堪えることができるとともに、上板１３が箱１１の高強度の骨格として機能するため、箱１１を頑丈なものとすることができる。
【００２３】
（６）大きさの異なる箱１１を用い、それらの箱１１を上下に重ねて、前記のように上下の箱１１を凹凸の嵌合関係で連結できるように構成したため、箱１１どうしを連結するためのクリップなどの連結手段が不要になり、部品点数を少なくできて、構成が簡単である。
【００２４】
（７）箱１１の下端部に下側の箱１１の上端部の側壁１８１を挟入させるための嵌合溝２５を形成したことにより、クリップなどの連結手段を用いることなく、上下の箱１１を積層状態で適切に連結できる。
【００２５】
本考案は前記実施形態に限定されるものではなく、以下のような態様で具体化できる。
・本考案の箱１１を物品展示用だけではなく、物品の整理や一時置きなどのための棚として用いること。
【００２６】
・箱１１を平面三角形、五角形、六角形、八角形など、平面四角形以外の形状にすること。
・箱１１をボール紙や段ボールに代えて、合成樹脂板によって構成すること。
【００２７】
・開口１４の形状を丸，三角，六角など、四角形以外の形状に変更すること。
【符号の説明】
【００２８】
１１…物品設置用箱、１２…箱本体、１３…上板、１４…開口、１８…凹部、２０…糊代、２１…糊代、２５…嵌合溝、２６…折り曲げライン、３１…本体片、３２…脚片、１８１…側壁。
【図１】
0003208116.tif 000003
【図２】
0003208116.tif 000004
【図３】
0003208116.tif 000005
【図４】
0003208116.tif 000006
【図５】
0003208116.tif 000007